(57)【要約】【課題】患者の静脈などのユーザ識別特徴に基づき患者の本人確認を行うことにより、患者誤認の可能性を排除する。【解決手段】ユーザ識別特徴情報を読み取る読取手段を有する確認装置と、サーバと、前記確認装置と前記サーバとを接続する通信ネットワークを備え、ユーザ識別特徴を利用した患者誤認防止のための確認システムであって、前記システム内に、前記読取手段で読み取った前記患者の前記ユーザ識別特徴情報と、前記サーバ内、または前記患者が保持するＩＣカード等の記憶媒体に保存されているユーザ識別特徴情報とを照合する患者情報照合手段と、前記患者情報照合手段において、前記ユーザ識別特徴情報が一致したときに、前記サーバ内、または前記患者が保持するＩＣカード等の記憶媒体に保存されている診療記録簿などの情報への閲覧を許可する許可手段とを有する。【選択図】図１
2007304975.tif 000002
【特許請求の範囲】
【請求項１】
ユーザ識別特徴情報を読み取る読取手段を有する確認装置と、
サーバと、
前記確認装置と前記サーバとを接続する通信ネットワークを備え、
ユーザ識別特徴を利用した患者誤認防止のための確認システムであって、
前記システム内に、前記読取手段で読み取った前記患者の前記ユーザ識別特徴情報と、前記サーバ内、または前記患者が保持するＩＣカード等の記憶媒体に保存されているユーザ識別特徴情報とを照合する患者情報照合手段と、
前記患者情報照合手段において、前記ユーザ識別特徴情報が一致したときに、前記サーバ内、または前記患者が保持するＩＣカード等の記憶媒体に保存されている診療記録簿などの情報への閲覧を許可する許可手段とを有することを特徴とする確認システム。
【請求項２】
ユーザ識別特徴情報を読み取る読取手段を有する確認装置と、
サーバと、
前記確認装置と前記サーバとを接続する通信ネットワークを備え、
確認装置とサーバとが通信ネットワークを介して接続され、ユーザ識別特徴を利用した患者誤認防止のための確認システムであって、
前記システム内に、前記読取手段で読み取った前記患者の前記ユーザ識別特徴情報と、前記サーバ内、または前記患者が保持するＩＣカード等の記憶媒体に保存されているユーザ識別特徴情報とを照合する患者情報照合手段と、
前記読取手段で読み取った医師や薬剤師などの医療従事者の前記ユーザ識別特徴情報と、前記サーバ内、または前記医療従事者が保持するＩＣカード等の記憶媒体に保存されているユーザ識別特徴情報とを照合する医療従事者情報照合手段と、
前記患者情報照合手段および前記医療従事者情報照合手段において、それぞれ前記ユーザ識別特徴情報が一致したときに、前記サーバ内、または前記患者が保持するＩＣカード等の記憶媒体に保存されている診療記録簿などの情報への閲覧を許可する許可手段とを有することを特徴とする確認システム。
【請求項３】
前記確認装置は、前記患者本人の同意または受取確認を行う手段を有し、
前記患者情報照合手段において、前記ユーザ識別特徴情報が一致したときに、投薬や手術などの診療または処置内容の同意と受取確認ができることを特徴とする請求項１に記載の確認システム。
【請求項４】
前記ユーザ識別特徴情報は、静脈、指紋、声紋、虹彩パターン、筆跡の少なくとも１つであることを特徴とする請求項１ないし請求項３の何れか１項に記載の確認システム。
【発明の詳細な説明】
【技術分野】
【０００１】
本発明は、確認システムに係り、特に、医療機関において患者誤認による事故を回避するための、ユーザ識別特徴を利用した確認システムに関する。
【背景技術】
【０００２】
例えば、下記特許文献１に記載されているように、医療機関において患者誤認による事故を回避するために、患者本人であることを証明するＩＤ証などに基づき、患者本人を確認し誤認を防止する技術は、従来から知られている。
この特許文献１に記載されている技術では、患者本人によるＩＤ証の所持が前提となっている。
【０００３】
なお、本願発明に関連する先行技術文献としては以下のものがある。
【特許文献１】特開２００２−１３２９６２号公報
【発明の開示】
【発明が解決しようとする課題】
【０００４】
しかしながら、前述の特許文献１に記載されている技術では、常に患者本人であることを証明するＩＤ証の所持または携帯が必要なことに加え、ＩＤ証の紛失・盗難による個人情報の漏洩、紛失・破損による本人確認不可、他者とのＩＤ証取違えによる患者誤認が発生するという問題点があった。
本発明は、前記従来技術の問題点を解決するためになされたものであり、本発明の目的は、患者の静脈などのユーザ識別特徴に基づき患者の本人確認を行うことにより、患者誤認の可能性を排除する確認システムを提供することになる。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
（１）ユーザ識別特徴情報を読み取る読取手段を有する確認装置と、サーバと、前記確認装置と前記サーバとを接続する通信ネットワークを備え、ユーザ識別特徴を利用した患者誤認防止のための確認システムであって、前記システム内に、前記読取手段で読み取った前記患者の前記ユーザ識別特徴情報と、前記サーバ内、または前記患者が保持するＩＣカード等の記憶媒体に保存されているユーザ識別特徴情報とを照合する患者情報照合手段と、前記患者情報照合手段において、前記ユーザ識別特徴情報が一致したときに、前記サーバ内、または前記患者が保持するＩＣカード等の記憶媒体に保存されている診療記録簿などの情報への閲覧を許可する許可手段とを有する。
【０００６】
（２）ユーザ識別特徴情報を読み取る読取手段を有する確認装置と、サーバと、前記確認装置と前記サーバとを接続する通信ネットワークを備え、確認装置とサーバとが通信ネットワークを介して接続され、ユーザ識別特徴を利用した患者誤認防止のための確認システムであって、前記システム内に、前記読取手段で読み取った前記患者の前記ユーザ識別特徴情報と、前記サーバ内、または前記患者が保持するＩＣカード等の記憶媒体に保存されているユーザ識別特徴情報とを照合する患者情報照合手段と、前記読取手段で読み取った医師や薬剤師などの医療従事者の前記ユーザ識別特徴情報と、前記サーバ内、または前記医療従事者が保持するＩＣカード等の記憶媒体に保存されているユーザ識別特徴情報とを照合する医療従事者情報照合手段と、前記患者情報照合手段および前記医療従事者情報照合手段において、それぞれ前記ユーザ識別特徴情報が一致したときに、前記サーバ内、または前記患者が保持するＩＣカード等の記憶媒体に保存されている診療記録簿などの情報への閲覧を許可する許可手段とを有する。
【０００７】
（３）（１）において、前記確認装置は、前記患者本人の同意または受取確認を行う手段を有し、前記患者情報照合手段において、前記ユーザ識別特徴情報が一致したときに、投薬や手術などの診療または処置内容の同意と受取確認が可能である。
（４）（１）ないし（３）の何れかにおいて、前記ユーザ識別特徴情報は、静脈、指紋、声紋、虹彩パターン、筆跡の少なくとも１つである。
【発明の効果】
【０００８】
本願において開示される発明のうち代表的なものによって得られる効果を簡単に説明すれば、下記の通りである。
本発明の確認システムによれば、患者のユーザ識別特徴情報に基づき本人確認することによって、患者の誤認を防止することが可能となる。
【発明を実施するための最良の形態】
【０００９】
以下、図面を参照して本発明の実施例を詳細に説明する。
なお、実施例を説明するための全図において、同一機能を有するものは同一符号を付け、その繰り返しの説明は省略する。
図１は、本発明の実施例の確認システムの概略構成を示すブロック図である。
同図に示すように、本実施例の確認システムは、利用者との対話形式で取引を行う確認装置１と、確認装置１の制御を行うサーバ２とで構成される。確認装置１とサーバ２は、インターネットなどのネットワーク８を介して接続され、通信を行う。
図１−１は、図１に示す確認装置１の概略構成を示すブロック図である。
確認装置１は、患者または医療従事者が操作入力する操作入力部４と、診療記録簿などの情報を表示する表示部５と、患者または医療従事者が持参したＩＣカードなどの記憶媒体を入力する媒体入力部６と、診療および処置内容をＩＣカードなどの記憶媒体に登録する媒体出力部１０、ネットワーク８に接続され、サーバ２と取引問合せ等を行う接続部７と、処理制御するプログラムを記録している記憶部９と、確認装置１で利用者を特定するためのユーザ識別特徴の読取り部１１と、音声を出力する音声出力部１２と、確認装置１全体を制御する制御部３とから構成される。
【００１０】
ユーザ識別特徴の読取り部１１が読み取るユーザ識別特徴情報は、患者または医療従事者の静脈、指紋、声紋、虹彩パターン、筆跡の少なくとも１つである。
患者または医療従事者が持参したＩＣカードなどの記憶媒体内には、患者または医療従事者のユーザ識別特徴情報と、患者及び医療従事者の個人情報（氏名、生年月日など）と患者の診療記録簿（患者識別番号、病棟、診療科、診療記録など）の情報を登録する。
図１−２は、図１に示すサーバ２の概略構成を示すブロック図である。
サーバ２は、ネットワーク８に接続される接続部１３と、制御部１４と、記憶部１５とから構成される。
確認装置１からのユーザ識別特徴情報は、確認装置１の接続部７、ネットワーク８を介してサーバ２の接続部１３に通知される。
このユーザ識別特徴情報の通知により、サーバ全体を制御する制御部１４が、記録部１５から患者のユーザ識別情報を取得し、本人確認を行う。
また、記憶部１５内には、患者ユーザ識別特徴情報の他に、患者の個人情報（氏名、生年月日、受診科など）と診療記録簿（患者識別コード、病棟、診療科、診療記録など）、医療従事者の個人情報などの情報を登録する。
【００１１】
図２は、サーバ２の記録部１５に記録されている情報に基づき、患者の本人確認を行う場合の処理手順を示すフローチャートである。
図２のフローチャートは、患者のユーザ識別特徴情報と個人情報（氏名、生年月日、受診科など）および診療記録簿（患者識別コード、病棟、診療科、診療記録など）がサーバの記憶部１５に記憶されている場合のフローチャートである。
始めに、確認装置１の表示部５に、図６に示す患者本人確認画面６０１が表示される。なお、図６は、確認装置１において、患者の本人確認を実施する際に表示部５に表示する患者本人確認画面６０１を示す図である。
本画面にはユーザ識別特徴読み取り部への入力を促す文言を表示する。患者本人確認キー６０２の押下を契機に、ユーザ識別特徴の読み取り部１１からユーザ識別特徴情報を読み取り、患者の本人確認処理を実施する。終了キー６０３または×キー６０４の押下により患者の本人確認処理を中止し本画面を閉じる。
図６に示す患者本人確認画面６０１において、患者本人確認キー６０２を押下した後（ステップ２０１）、ユーザ識別特徴の読み取り部１１に指などの部位をセットする（ステップ２０２）。
確認装置１は、ユーザ識別特徴の読み取り部１１により、ユーザ識別特徴情報を読み取り（ステップ２０３）、読み取ったユーザ識別特徴情報をサーバ２へ送信し（ステップ２０４）、問合せを行う。
【００１２】
サーバ２は、送信されたユーザ識別特徴情報と、サーバ記憶部１５内に記憶されているユーザ識別特徴情報との照合を行い（ステップ２０５）、ユーザ識別特徴情報が存在していることの確認ができた場合に限り、患者の個人情報と診療記録などの情報を応答（ステップ２０６）し、確認装置１は、表示部５に図７に示す診療歴情報画面７０１を表示し、受信した患者の個人情報と診療記録を表示する（ステップ２０７）。
なお、図７は、確認装置１において、患者の本人確認が完了した際、または複数人の医療従事者が特定した際に表示部５に表示する診療歴情報画面７０１を示す図である。本画面には患者ＩＤなどの患者情報と診療記録簿（受診歴とその詳細内容）を表示する。終了キー７０２または×キー７０３の押下により本画面を閉じる。
サーバ２の記憶部１５内に該当するユーザ識別特徴の情報が存在しない場合は、患者の本人確認ができないことを応答し（ステップ２０８）、確認装置１の表示部５に、患者の本人確認ができなかった旨を、図８に示す本人確認結果画面８０１に表示する（ステップ２０９）。
なお、図８は、確認装置１において、患者の本人確認が不可であった際、または医療従事者の特定が不可であった際に表示部５に表示する本人確認結果画面８０１を示す図である。本画面には本人確認結果を表示する。終了キー８０２または×キー８０３の押下により本画面を閉じる。
なお、患者のユーザ識別特徴情報と、個人情報（氏名、生年月日、受診科など）および診療記録簿は、確認装置１側の記憶部９に記憶してもよい。
【００１３】
図３は、ＩＣカードなどの記憶媒体に記録されている情報に基づき、患者の本人確認を行う場合の処理手順を示すフローチャートである。
図３のフローチャートは、患者のユーザ識別特徴情報と個人情報（氏名、生年月日、受診科など）および診療記録簿（患者識別コード、病棟、診療科、診療記録など）が、患者が保持するＩＣカードなどの記憶媒体に記憶されている場合のフローチャートである。
図６に示す患者本人確認画面６０１において、患者本人確認キー６０２を押下した後（ステップ３０１）、ＩＣカードなどの記憶媒体を媒体入力部６に挿入し（ステップ３０２）、ユーザ識別特徴の読み取り部１１に指などの部位をセットする（ステップ３０３）。
確認装置１は、ユーザ識別特徴の読み取り部１１にて、ユーザ識別特徴情報を読み取り（ステップ３０４）、また、媒体入力部６に挿入されたＩＣカードなどの記憶媒体に記憶されているユーザ識別特徴情報を読み取り（ステップ３０５）、ステップ３０４とステップ３０５により取得したユーザ識別特徴情報の照合を行う（ステップ３０６）。
ユーザ識別特徴情報が一致していることの確認ができた場合に限り、媒体入力部６に挿入されたＩＣカードなどの記憶媒体から患者の個人情報と診療記録簿などの情報を読み取り（ステップ３０７）、表示部５に患者の個人情報と診療記録を、図７に示す診療歴情報画面７０１に表示する（ステップ３０８）。
ユーザ識別特徴情報が不一致の場合は、表示部５には患者の本人確認が不可であった旨を、図８に示す本人確認結果画面８０１に表示する（ステップ３０９）。
【００１４】
図４は、複数人の医療従事者の特定と患者の本人確認を行う場合の処理手順を示すフローチャートである。
本フローチャートは、医療従事者と患者のユーザ識別特徴情報と個人情報（氏名、生年月日、受診科など）および診療記録簿（患者識別コード、病棟、診療科、診療記録など）がサーバの記憶部１５に記憶されている場合のフローチャートである。
始めに、確認装置１の表示部５に、図９に示す医療従事者確認画面９０１が表示される。なお、図９は、確認装置１において、複数人の医療従事者の特定を実施する際に表示部５に表示する医療従事者確認画面９０１を示す図である。本画面にはユーザ識別特徴読み取り部への入力を促す文言を表示する。医療者本人確認キー９０２の押下を契機に、ユーザ識別特徴の読み取り部１１からユーザ識別特徴情報を読み取り、医療従事者の特定処理を実施する。終了キー９０３または×キー９０４の押下により医療従事者の特定処理を中止し本画面を閉じる。
図９に示す医療従事者確認画面９０１において、医療者本人確認キー９０２を押下した後（ステップ４０１）、ユーザ識別特徴の読み取り部１１に指などの部位をセットし（ステップ４０２）、ユーザ識別特徴の読み取り部１１にてユーザ識別特徴情報を読み取り（ステップ４０３）、読み取ったユーザ識別特徴情報をサーバ２へ送信し（ステップ４０４）、問合せ行う。
【００１５】
サーバ２は、送信されたユーザ識別特徴情報とサーバ２の記憶部１５内に記録されているユーザ識別特徴情報との照合を行い（ステップ４０５）、ユーザ識別特徴情報が存在していることの確認ができた場合に、医療従事者が特定されたことを応答し（ステップ４０６）、確認装置１の表示部５に、続いて患者の本人確認を実施する旨を、図６に示す患者本人確認画面６０１に表示する（ステップ４０７）。
図６に示す患者本人確認画面６０１において、患者本人確認キー６０２を押下した後（ステップ４０８）、ユーザ識別特徴の読み取り部１１に指などの部位をセットし（ステップ４０９）、ユーザ識別特徴の読み取り部１１にてユーザ識別特徴の情報を読み取り（ステップ４１０）、読み取ったユーザ識別特徴情報をサーバ２へ送信し（ステップ４１１）、問合せを行う。
サーバ２は、送信されたユーザ識別特徴情報とサーバ２の記憶部１５内に記録されているユーザ識別特徴情報との照合を行い（ステップ４１２）、ユーザ識別特徴情報が存在していることの確認ができた場合に限り、患者の個人情報と診療記録などの情報を応答し（ステップ４１３）、確認装置１の表示部５に、受信した患者の個人情報と診療記録を、図７に示す診療歴情報画面７０１に表示する（ステップ４１４）。
【００１６】
前述のステップ４０５において、サーバ記憶部１５内に該当する医療従事者のユーザ識別特徴の情報が存在しない場合は、確認装置１の表示部５に、医療従事者の特定ができなかった旨を、図８に示す本人確認結果画面８０１に表示し（ステップ４１５）、音声出力部１２にて音声による注意喚起を行う。
前述のステップ４１２において、サーバ記憶部１５内に該当する患者のユーザ識別特徴情報が存在しない場合も、表示部５には患者の本人確認ができなかった旨を、図８に示す本人確認結果画面に表示し（ステップ４１６）、音声出力部１２にて音声による注意喚起を行う。
なお、医療従事者と患者のユーザ識別特徴情報と個人情報（氏名、生年月日、受診科など）および診療記録簿（患者識別コード、病棟、診療科、診療記録など）は、確認装置１側の記憶部９に記憶してもよいものとする。
さらに、前述の図２のステップ２０８、図３のステップ３０９における、患者の本人確認が不可であった場合にも、音声出力部１２にて音声による注意喚起を行ってもよい。
【００１７】
図５は、診療または処置内容の患者同意確認および処方薬の受取確認を行う場合の処理手順を示すフローチャートである。
本フローチャートは、表示部５に、図１０に示す処方薬受取確認画面１００２を表示し、患者の同意を得る必要のある診療または処置内容が表示されている、もしくは処方薬の内容が表示されている状態からのフローチャートである。
なお、図１０は、確認装置１において、処方薬の受取確認を実施する際に表示部５に表示する図であり、処方薬確認画面１００１は患者への処方薬内容を表示する。処方薬受取確認画面１００２は処方薬確認画面１００１での受取確認キー１００３の押下を契機に表示する画面であり、ユーザ識別特徴読み取り部への入力を促す文言を表示する。本人受取確認キー１００４の押下を契機に、ユーザ識別特徴の読み取り部１１からユーザ識別特徴情報を読み取り、受取確認処理を実施する。終了キー１００５または×キー１００６の押下により受取確認処理を中止し本画面を閉じる。
図１１は、確認装置１において、診療／処置内容の同意確認を実施する際に表示部５に表示する図であり、診療／処置内容画面１１０１は患者への診療／処置内容を表示する。診療／処置内容同意確認画面１１０２は診療／処置内容画面１１０１での同意確認キー１１０３の押下を契機に表示する画面であり、ユーザ識別特徴読み取り部への入力を促す文言を表示する。本人同意確認キー１１０４の押下を契機に、ユーザ識別特徴の読み取り部１１からユーザ識別特徴情報を読み取り、同意確認処理を実施する。終了キー１１０５または×キー１１０６の押下により同意確認処理を中止し本画面を閉じる。
【００１８】
図１０に示す処方薬受取確認画面１００２において、本人受取確認キー１００４、または、図１１に示す診療／処置内容同意確認画面１１０２において、本人同意確認キー１１０４を押下した後（ステップ５０１）、ユーザ識別特徴の読み取り部１１に指などの部位をセットし（ステップ５０２）、ユーザ識別特徴の読み取り部１１にてユーザ識別特徴情報を読み取り（ステップ５０３）、読み取ったユーザ識別特徴情報をサーバ２へ送信し（ステップ５０４）、問合せを行う。
サーバ２は、送信されたユーザ識別特徴情報とサーバ２の記憶部１５内に記録されているユーザ識別特徴情報との照合を行い（ステップ５０５）、ユーザ識別特徴情報が存在していることの確認ができた場合に、診療記録簿などに本人同意確認が完了したこと、または処方薬の受取確認が完了したことを、サーバ２の記憶部１５に記録し（ステップ５０６）、確認装置１の表示部５には、本人同意確認または受取確認が記録された旨を、図１２に示す本人受取／同意確認結果画面１２０１に表示する（ステップ５０７）。
患者の本人確認ができなかった場合は、表示部５には本人確認ができなかった旨を、図８に示す本人確認結果画面８０１に表示し（ステップ５０８）、音声出力部１２にて音声による注意喚起を行う。
なお、診療記録簿（患者識別コード、病棟、診療科、診療記録など）は、確認装置１側の記憶部９またはＩＣカードなどの記憶媒体に記憶してもよいものとする。
【００１９】
なお、図１２は、確認装置１において、処方薬の受取確認が完了した際、または診療／処置内容の同意確認が完了した際に表示部５に表示する本人受取／同意確認結果画面１２０１を示す図である。本画面には確認結果を表示する。さらに、終了キー１２０２または×キー１２０３の押下により本画面を閉じる。
以上説明したように、本実施例によれば、患者および医療従事者のユーザ識別特徴情報をもとに患者の本人確認と複数人の医療従事者を特定することによって、診療または処置時の患者誤認による医療事故を防止する効果がある。
なお、前述までの説明では、確認システムに本発明を適用した実施例について説明したが、本発明は、これに限定されるものではなく、パソコンや携帯端末等の他の情報システムにも適用可能である。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００２０】
【図１】本発明の実施例の確認システムの概略構成を示すブロック図である。
【図１−１】図１に示す確認装置の概略構成を示すブロック図である。
【図１−２】図１に示すサーバの概略構成を示すブロック図である。
【図２】サーバの記録部に記録されている情報に基づき、患者の本人確認を行う場合の処理手順を示すフローチャートである。
【図３】ＩＣカードなどの記憶媒体に記録されている情報に基づき、患者の本人確認を行う場合の処理手順を示すフローチャートである。
【図４】複数人の医療従事者の特定と患者の本人確認を行う場合の処理手順を示すフローチャートである。
【図５】診療または処置内容の患者同意確認および処方薬の受取確認を行う場合の処理手順を示すフローチャートである。
【図６】図１−１に示す確認装置において、患者の本人確認を実施する際に表示部に表示する患者本人確認画面を示す図である。
【図７】図１−１に示す確認装置において、患者の本人確認が完了した際、または複数人の医療従事者が特定した際に表示部に表示する診療歴情報画面を示す図である。
【図８】図１−１に示す確認装置において、患者の本人確認が不可であった際、または医療従事者の特定が不可であった際に表示部に表示する本人確認結果画面を示す図である。
【図９】図１−１に示す確認装置において、複数人の医療従事者の特定を実施する際に表示部に表示する医療従事者確認画面を示す図である。
【図１０】図１−１に示す確認装置において、処方薬の受取確認を実施する際に表示部に表示する処方薬受取確認画面を示す図である。
【図１１】図１−１に示す確認装置において、診療／処置内容の同意確認を実施する際に表示部に表示する診療／処置内容同意確認画面を示す図である。
【図１２】図１−１に示す確認装置において、処方薬の受取確認が完了した際、または診療／処置内容の同意確認が完了した際に表示部に表示する本人受取／同意確認結果画面を示す図である。
【符号の説明】
【００２１】
１  確認装置
２  サーバ
３，１４  制御部
４  操作入力部
５  表示部
６  媒体入力部
７，１３  接続部
８  ネットワーク
９，１５  記憶部
１０  媒体出力部
１１  ユーザ識別特徴読取部
１２  音声出力部
６０１  患者本人確認画面
６０２  患者本人確認キー
６０３，７０２，８０２，９０３，１００５，１１０５，１２０２  終了キー
６０４，７０３，８０３，９０４，１００６，１１０６，１２０３  ×キー
７０１  診療歴情報画面
８０１  本人確認結果画面
９０１  医療従事者確認画面
９０２  医療者本人確認キー
１００１  処方薬確認画面
１００２  処方薬受取確認画面
１００３  受取確認キー
１００４  本人受取確認キー
１１０１  診療／処置内容画面
１１０２  診療／処置内容同意確認画面
１１０３  同意確認キー
１１０４  本人同意確認キー
１２０１  本人受取／同意確認結果画面
【図１】
2007304975.tif 000003
【図１−１】
2007304975.tif 000004
【図１−２】
2007304975.tif 000005
【図２】
2007304975.tif 000006
【図３】
2007304975.tif 000007
【図４】
2007304975.tif 000008
【図５】
2007304975.tif 000009
【図６】
2007304975.tif 000010
【図７】
2007304975.tif 000011
【図８】
2007304975.tif 000012
【図９】
2007304975.tif 000013
【図１０】
2007304975.tif 000014
【図１１】
2007304975.tif 000015
【図１２】
2007304975.tif 000016